(57)【特許請求の範囲】
【請求項１】
不燃・難燃又は可燃性シート類や保温材などの柔軟性を有し復元力がある廃棄物を逆止機構付き収納袋内に収納し簡易に圧縮するための装置であって、
回転軸を中心に開閉する押し板及び受け板と、
前記押し板及び受け板の圧縮面に付着したスポンジゴムと、
前記押し板の圧縮面のほぼ全面を覆うように取り付けられるエアバッグと、
前記エアバッグにエアを供給する配管と、
前記押し板及び受け板を相互にロックする部材と、
前記押し板から延伸する圧縮用のハンドルと、
前記押し板に取り付けられた移動用のキャスタとを備えることを特徴とする廃棄物簡易圧縮装置。
【請求項２】
前記エアバッグにエアを供給する配管は前記押し板を貫通して配置されかつ安全弁が設けられている請求項１記載の装置。
【請求項３】
前記押し板の内面に圧縮時にファスナーが開放することを防止するためのファスナー押え金具が取り付けられている請求項１記載の装置。
【発明の詳細な説明】
【０００１】
【発明の属する技術分野】
本発明は、大量に発生する廃棄物、例えば原子力発電所の定期点検などにおける廃棄物のうち柔軟性を有し復元力（スプリングバック）があるものを効率良く圧縮するための装置に関する。特に、電源やエネルギ源などの特別なユーティリティを使うことなく、人力により容易かつ効果的に廃棄物を減容する装置で、可搬式の装置に関する。
【０００２】
【従来の技術】
不燃性シート・難燃性シート・保温材などのかさばる廃棄物は圧縮して定形ドラム缶（２００リットル）に保管するのが一般的であるが、これらの廃棄物はプレス機械を用いて圧縮しても復元力があるためドラム缶がすぐに一杯になって処理場が早期に満杯になってしまうという問題があった。そこで本発明者等は、最近開発された逆止弁付きの収納袋を利用してエアー抜きを行うことにより復元力を減殺し、ドラム缶内に最大の充填効率で詰め込んで減容化を図ることができる装置を先に提案し、特許第３０５２１４０号「廃棄物の減容化処理装置」として認められた。
【０００３】
逆止弁付きの収納袋としては、特許第２６７５７４８号、特開平５−１１８４５５号「流体収納袋用逆止弁」、特開平５−３３８６５７号「柔軟性物品用収納袋」、特開平８−２８２６８２号「液体収納袋」、特開平９−２０２３３８号「逆流防止弁および逆流防止弁付きチューブショルダー」、特開平９−２８６４４１号「逆止弁付き袋及び逆止弁用栓」などが知られている。
【０００４】
図７に一般的な逆止機構付きの収納袋５０を示す。物品を入れたり出したりする出入口５１にファスナー（チャック）５２が設けられ、手で押さえることにより封止できるようになっている。袋の下側には排気通路５３が設けられ、圧縮された空気が排気通路５３を通って排気口５４から押し出される。排気口５４の付近には空気の逆流を防ぐ逆止機構が設けられている。
【０００５】
不燃性シート・難燃性シート・保温材などのかさばる廃棄物を機械的に圧縮を行うためには、電気や圧縮空気などのユーティリティ供給が必要となりその場所が限定される。また、発生場所から処理場までの運搬作業にも多くの労力を必要とするなどの欠点があった。
本発明の装置は、可搬式でユーティリティが不要なことから使用場所を限定せず、人力で圧縮作業を行うことができる装置を意図している。
【０００６】
【発明が解決しようとする課題】
本発明の目的は、特別な電源やエネルギ源などのユーティリティを使用することなく、発生場所の近傍において効果的な減容を可能とする廃棄物簡易圧縮装置を提供することにある。
【０００７】
【課題を解決するための手段】
本発明では、廃棄物保管のための減容効果を向上させるために、先の特許発明でも使用した逆止機構付きの減容袋を使用し、減容操作を容易にするため人力による簡易圧縮機を採用することとした。特に、減容装置にスポンジゴムとエアバッグを取り付けることにより、被圧縮物の形状にかかわらず充分な減容効果を得ることができる。
【０００８】
具体的には、前述した課題を達成するため、本発明は、不燃・難燃又は可燃性シート類や保温材などの柔軟性を有し復元力（スプリングバック）がある廃棄物を逆止機構付き収納袋内に収納し簡易に圧縮するための装置を提供する。この装置は、回転軸を中心に開閉する押し板及び受け板と、前記押し板及び受け板の圧縮面に付着したスポンジゴムと、前記押し板の圧縮面のほぼ全面を覆うように取り付けられるエアバッグと、前記エアバッグにエアを供給する配管と、前記押し板及び受け板を相互にロックする部材と、前記押し板から延伸する圧縮用のハンドルと、移動用のキャスタとを備えることを特徴とする。
【０００９】
【作用】
本発明の装置と逆止機構付きの減容袋との組み合わせにより、特別なユーティリティを必要とせずにスプリングバックを効果的に防いで減容が可能となる。可搬式であるため、発生場所での効果的な減容が可能となり、廃棄物の搬送負荷を軽減し、保管スペースをも節約できる。
さらに、応用として廃棄物に限らず、スプリングバックを生じるかさばるものには有効であり、保管設置スペースを節約できる。
【００１０】
本発明のさらに好適な態様と作用効果として、
１  エアバッグにエアを供給する配管は押し板を貫通して配置する
２  過度のエア注入又は圧縮によるエアバッグの破裂を防止するために、規定圧力以上になると自動的に排気する安全弁を取り付ける
３  圧縮時にファスナーが開放することを防止するため、ファスナー押え金具を取り付ける
４  エアバッグへの空気供給はハンドポンプ以外に施設に設置の圧縮空気でも可能であるが、空気入れ程度のものでも可能である
５  特別なユーティリティを必要とせず、キャスターにより可動となっているため、発生場所近傍での処理が可能となる、などが挙げられる。
以下、添付図面の実施形態を参照しながら本発明について詳述する。
【００１１】
【発明の実施の形態】
図１は本発明の好適な態様による廃棄物簡易圧縮装置１０の開放状態を表しており、内部に逆止機構（逆止弁）付きの圧縮袋（減容袋）５０が収納されている。図に示すように、この装置１０は、回転軸１５を中心に開閉する押し板１１と受け板１２の間に廃棄物を収納した圧縮袋５０が投入され、押し板１１から延びるハンドル３２をつかんで押し下げることにより圧縮袋５０を圧縮し、廃棄物を減容化するようになっている。ハンドル３２を押し下げた時に圧縮袋５０のファスナーが開放することを防止するため、ファスナー押え金具１４が設けられている。
【００１２】
廃棄物の表面は平坦ではないので、減容効果を高めるために押し板１１の圧縮面にスポンジゴム１７が付着させられ、受け板１２の圧縮面にスポンジゴム１８が付着させられている。さらに押し板１１の圧縮面のほぼ全面にエアバッグ２１が装着され、その端部はクランプ２６で押し板１１に固定されるようになっている。被圧縮物の形状・硬さなどの性状により、スポンジゴム１７，１８の枚数や硬さ及びエアバッグ２１の空気量の調整を行うようにする。
【００１３】
移動用のキャスタ２４は押し板１１に取り付けられている。図示を簡単にするため図１からは省略されているが、エアバッグ２１にエアを供給するための配管用金具と、使用しない時は押し板１１と受け板１２を相互にロックするためのパッチン錠などが取り付けられる。
図１において、受け板１２の下面に取り付けられている脚４０は必要に応じて圧縮作業を容易にするために準備されているオプションであって、収納時など不要な場合には取り外しておく。
【００１４】
図２Ａ〜Ｄは、前述した廃棄物簡易圧縮装置１０とそれに使用する逆止機構付きの圧縮袋５０を概略的に表している。各部の構造は図１に示した通りである。図２Ａは作業者がハンドル３２を押し下げて圧縮袋５０内の廃棄物を減容化処理する状態を表している。前述したように、押し板１１には圧縮時のファスナーの開放を防止するためのファスナー押え金具１４が取り付けられているので、ハンドル３２を押し下げる時に圧縮袋５０のファスナーが開くことはない。図２Ｂは受け板１２の上に置かれた圧縮袋５０とエアバッグ２１の位置関係を表している。図２Ａに示すように、走行用のキャスタ２４は押し板１１の側に突出しているので、図２Ｃに示すように、圧縮作業後に搬送するときは、受け板１２の側が上面になる。図２Ｄは廃棄物収納袋の圧縮前の状態５０Ａと、圧縮後の状態５０Ｂとを概略的に表している。
【００１５】
エアバッグ２１のエア供給配管には、過度の圧縮力によるエアバッグの破裂を防止するために、規定圧力以上になると自動的に排気する安全弁が取り付けられる。また、圧縮時の本体の浮き上がりを防止するために必要に応じて浮き止め金具により床に固定することができる。本装置にはキャスタ２４が取り付けられているので、後述するようなパッチン錠を締めて圧縮用ハンドルを握ることにより容易に移動できる。
【００１６】
【実施例】
図３〜６は本発明の好適な実施例を表しており、この簡易圧縮装置１０は、回転軸１５を中心に開閉する押し板１１及び受け板１２と、押し板１１及び受け板１２の圧縮面に付着したスポンジゴム１７，１８と、押し板１１のほぼ全面を覆うように取り付けられるエアバッグ２１と、エアバッグ２１にエアを供給する配管２２と、押し板１１及び受け板１２を相互にロックするパッチン錠２３と、圧縮用のハンドル３２と、移動用のキャスタ２４とを備えている。
かくして、回転軸１５を中心に開閉する押し板１１と受け板１２の間に廃棄物を収納した圧縮袋５０（図１）が投入され、ハンドル３２をつかんで押し下げることにより圧縮袋５０を圧縮し、廃棄物を減容化する。
【００１７】
図４において、受け板１２の側面から両側に突出している浮き止め金具１６は必要に応じて受け板１２を床面に固定して圧縮作業を容易にするために準備されているオプションであって、不要な場合には取り外しておく。
【００１８】
図５（図３の中央断面）において、押し板１１及び受け板１２の圧縮面にはそれぞれスポンジゴム１７，１８がはめ込みその他の方法で装着されている。符号１９の空間に圧縮袋５０が挿入され、ファスナー押え金具１４は圧縮袋５０の開口のファスナーが開放するのを制止する。エアバッグ２１にエアを供給する配管２２は押し板１１を貫通して配置され、かつ安全弁が内蔵されている。
図６は回転軸１５とキャスタ２４の位置関係を表している。
【００１９】
【発明の効果】
以上詳細に説明した如く、本発明の廃棄物簡易圧縮装置と逆止機構付きの減容袋との組み合わせにより、特別なユーティリティを必要とせずにスプリングバックを効果的に防いで減容が可能となる。可搬式であるため、発生場所での効果的な減容が可能となり、廃棄物の搬送負荷を軽減し、保管スペースをも節約できる。さらに、応用として廃棄物に限らず、スプリングバックを生じるかさばるものには有効であり、保管設置スペースを節約できるなど、その技術的効果には、極めて顕著なものがある。
【図面の簡単な説明】
【図１】本発明による廃棄物簡易圧縮装置の開放状態を表す斜視図である。
【図２】本発明による廃棄物簡易圧縮装置の操作方法を表す概略斜視図である。
【図３】本発明による廃棄物簡易圧縮装置の正面図である。
【図４】本発明による廃棄物簡易圧縮装置の平面図である。
【図５】図４の線Ａ−Ａに沿う縦断面図である。
【図６】図４の線Ｂ−Ｂに沿う側部断面図である。
【図７】一般的な空気圧縮袋の構造を表す斜視図である。
【符号の説明】
１０  廃棄物簡易圧縮装置
１１  押し板
１２  受け板
１４  ファスナー押え金具
１５  回転軸
１７，１８  スポンジゴム
２１  エアバッグ
２２  エア供給配管
２３  ロック錠
２４  キャスタ
３２  ハンドル
５０  圧縮袋
【図１】
0003677597.tif 000002
【図２】
0003677597.tif 000003
【図３】
0003677597.tif 000004
【図４】
0003677597.tif 000005
【図５】
0003677597.tif 000006
【図６】
0003677597.tif 000007
【図７】
0003677597.tif 000008